(57)【要約】【課題】小石等が保護カバーに当たって保護カバーが破損するのを防止できるヒューズボックスを提供する。【解決手段】本発明のヒューズボックスは、トラックの荷台の下に設置されるものであり、バッテリのバッテリポストに直付けされて電気接続されるヒューズユニットと、該ヒューズユニットを覆う保護カバー１と、を備えている。前記保護カバー１の外面１ａの一部は、弾性部材１１で覆われている。また、前記弾性部材１１は、保護カバー１の外面１ａから立設した可撓性を有する複数のリブ５で構成されている。これらリブ５は、保護カバー１と一体成形されている。【選択図】図２
2012022975.tif 000002
【特許請求の範囲】
【請求項１】
バッテリポストに接続されるヒューズユニットと、該ヒューズユニットを覆う保護カバーと、を備えたヒューズボックスにおいて、
前記保護カバーの外面の少なくとも一部が、弾性部材で覆われている
ことを特徴とするヒューズボックス。
【請求項２】
前記弾性部材が、前記保護カバーの外面から立設した複数の突条または突起で構成され、前記突条または前記突起が、前記保護カバーと一体成形されている
ことを特徴とする請求項１に記載のヒューズボックス。
【請求項３】
前記弾性部材が、前記保護カバーの外面に植毛された複数の繊維で構成されている
ことを特徴とする請求項１に記載のヒューズボックス。
【請求項４】
トラックの荷台の下に設置される、トラック用のヒューズボックスである
ことを特徴とする請求項１ないし請求項３のうち１項に記載のヒューズボックス。
【発明の詳細な説明】
【技術分野】
【０００１】
本発明は、車載されるバッテリのバッテリポストに直付けされるヒューズボックスに関するものである。
【背景技術】
【０００２】
図７は、従来のヒューズボックスの分解図である（特許文献１を参照。）。このヒューズボックス５１０は、車載されるバッテリのバッテリポスト３１に接続されるヒューズユニット２と、該ヒューズユニット２を覆う保護カバー５０１と、を備えている。
【０００３】
上記ヒューズユニット２は、バッテリ３と電源供給用の電線４とを接続するものであり、バッテリポスト３１に取り付けられて電気接続されるバッテリ端子２１と、このバッテリ端子２１に電気接続され、かつ、電線４が取り付けられて電気接続される電線取付部と、この電線取付部とバッテリ端子２１との間に配されたヒューズと、これらを保持した樹脂ハウジング２０と、を備えている。
【０００４】
上記保護カバー５０１は、絶縁性の合成樹脂により、ヒューズユニット２全体を覆うことが可能な箱型に形成されている。
【先行技術文献】
【特許文献】
【０００５】
【特許文献１】特開２０１０−１０８７１８号公報
【発明の概要】
【発明が解決しようとする課題】
【０００６】
上述したヒューズボックス５１０は、トラックの荷台の下に設置されることがあり、その場合、跳ね石が当たるなどして保護カバー５０１が破損するおそれがあるという問題があった。
【０００７】
したがって、本発明は、小石等が保護カバーに当たって保護カバーが破損するのを防止できるヒューズボックスを提供することを目的とする。
【課題を解決するための手段】
【０００８】
上記目的を達成するために請求項１に記載された発明は、バッテリポストに接続されるヒューズユニットと、該ヒューズユニットを覆う保護カバーと、を備えたヒューズボックスにおいて、前記保護カバーの外面の少なくとも一部が、弾性部材で覆われていることを特徴とするヒューズボックスである。
【０００９】
請求項２に記載された発明は、請求項１に記載された発明において、前記弾性部材が、前記保護カバーの外面から立設した複数の突条または突起で構成され、前記突条または前記突起が、前記保護カバーと一体成形されていることを特徴とするものである。
【００１０】
請求項３に記載された発明は、請求項１に記載された発明において、前記弾性部材が、前記保護カバーの外面に植毛された複数の繊維で構成されていることを特徴とするものである。
【００１１】
請求項４に記載された発明は、請求項１ないし請求項３のうち１項に記載された発明において、トラックの荷台の下に設置される、トラック用のヒューズボックスであることを特徴とするものである。
【発明の効果】
【００１２】
請求項１に記載された発明によれば、前記保護カバーの外面の少なくとも一部が、弾性部材で覆われているので、小石等が保護カバーに当たった際に、弾性部材がクッションとなって衝撃を吸収することで、保護カバーに破損が生じることを防止できる。また、小石や液体等が保護カバーに当たった際に生じる異音を減少させることができる。
【００１３】
請求項２に記載された発明によれば、前記弾性部材が、前記保護カバーの外面から立設した複数の突条または突起で構成され、前記突条または前記突起が、前記保護カバーと一体成形されているので、小石等が保護カバーに当たった際に、前記複数の突条または突起がクッションとなって衝撃を吸収することで、保護カバーに破損が生じることを防止できる。また、弾性部材が保護カバーと一体成形されているので別部材が必要なく、ヒューズボックスを安価にできる。
【００１４】
請求項３に記載された発明によれば、前記弾性部材が、前記保護カバーの外面に植毛された複数の繊維で構成されているので、小石等が保護カバーに当たった際に、前記複数の繊維がクッションとなって衝撃を吸収することで、保護カバーに破損が生じることを防止できる。
【００１５】
請求項４に記載された発明によれば、トラックの荷台の下に設置されるトラック用のヒューズボックスであり、乗用車用のヒューズボックスと違い外から見える状態で使用されるヒューズボックスであるので、跳ね石が保護カバーに当たることが多いが、前記跳ね石の衝突によって保護カバーが破損するのを防止でき、保護カバーの破損による安全性の低下及び見映えの低下を防止できる。
【図面の簡単な説明】
【００１６】
【図１】本発明の第１の実施形態にかかるヒューズボックスの分解図である。
【図２】図１に示されたヒューズボックスを構成する保護カバーの斜視図である。
【図３】本発明の第２の実施形態にかかるヒューズボックスを構成する保護カバーの斜視図である。
【図４】本発明の第３の実施形態にかかるヒューズボックスを構成する保護カバーの断面図である。
【図５】本発明の第４の実施形態にかかるヒューズボックスを構成する保護カバーの断面図である。
【図６】本発明の第５の実施形態にかかるヒューズボックスを構成する保護カバーの断面図である。
【図７】従来のヒューズボックスの分解図である。
【発明を実施するための形態】
【００１７】
（第１の実施形態）
本発明の第１の実施形態にかかるヒューズボックスを図１及び図２を用いて説明する。
【００１８】
上記ヒューズボックス１０は、トラックの荷台の下に設置される、トラック用のヒューズボックスである。このヒューズボックス１０は、図１に示すように、前記トラックに搭載されるバッテリ３のバッテリポスト３１に接続されるヒューズユニット２と、該ヒューズユニット２を覆う保護カバー１と、を備えている。
【００１９】
上記ヒューズユニット２は、バッテリ３と電源供給用の電線４とを接続するものであり、バッテリポスト３１に取り付けられて電気接続されるバッテリ端子２１と、このバッテリ端子２１に電気接続され、かつ、電線４が取り付けられて電気接続される電線取付部と、この電線取付部とバッテリ端子２１との間に配されたヒューズと、これらを保持した樹脂ハウジング２０と、を備えている。
【００２０】
上記保護カバー１は、絶縁性の合成樹脂により、ヒューズユニット２全体を覆うことが可能な箱型に形成されている。また、保護カバー１の外面１ａの一部、即ち図１中のＡ部、は、弾性部材１１で覆われている。
【００２１】
上記弾性部材１１は、図２に示すように、保護カバー１の外面１ａから立設した複数のリブ５（特許請求の範囲に記載した「突条」に相当する。）で構成されている。また、これら複数のリブ５は、保護カバー１と同一の合成樹脂により保護カバー１と一体成形されている。
【００２２】
上記複数のリブ５は、互いに間隔をあけて平行に配されている。また、各リブ５は、前記トラックの走行中に保護カバー１に跳ね石が衝突した場合に弾性変形することが可能な厚みとされている。
【００２３】
このようなヒューズボックス１０は、トラックの荷台の下に設置され、外から見える状態で使用されることから、走行中に跳ね石が保護カバー１に当たることが多いが、跳ね石等が保護カバー１に当たった際は、弾性部材１１即ち複数のリブ５がクッションとなって衝撃を吸収することで、保護カバー１に破損が生じることを防止できる。また、保護カバー１の破損による安全性の低下及び見映えの低下を防止できる。また、跳ね石、雨水、洗浄液等が保護カバー１に当たった際に生じる異音を減少させることができ、車両の快適性を向上させることができる。また、弾性部材１１即ち複数のリブ５が保護カバー１と一体成形されているので別部材が必要なく、ヒューズボックス１０を安価にできる。
【００２４】
また、上述した保護カバー１は、弾性部材１１即ち複数のリブ５が保護カバー１と一体成形された構成であったが、本発明では、保護カバー１と別体で形成されたリブ５を保護カバー１の外面１ａに接着するようにしても良い。そのほか、２色成形加工によりリブ５を保護カバー１と一体成形するようにしても良い。
【００２５】
（第２の実施形態）
本発明の第２の実施形態にかかるヒューズボックスを図３を用いて説明する。本実施形態のヒューズボックスは、図１に示したヒューズユニット２と、図３に示す保護カバー１０１と、を備えている。
【００２６】
上記保護カバー１０１は、図１に示した保護カバー１のＡ部が、弾性部材１２で覆われた構成である。
【００２７】
上記弾性部材１２は、保護カバー１０１の外面１０１ａから板状に立設した複数のフィン６（特許請求の範囲に記載した「突条」に相当する。）で構成されている。また、これら複数のフィン６は、保護カバー１０１と一体成形されている。また、各フィン６は、前記トラックの走行中に保護カバー１０１に跳ね石が衝突した場合に弾性変形することが可能な厚みとされている。
【００２８】
このような保護カバー１０１を備えたヒューズボックスは、前述したヒューズボックス１０と同様に、跳ね石等が保護カバー１０１に当たった際、弾性部材１２即ち複数のフィン６がクッションとなって衝撃を吸収することで、保護カバー１０１に破損が生じることを防止できる。
【００２９】
（第３の実施形態）
本発明の第３の実施形態にかかるヒューズボックスを図４を用いて説明する。本実施形態のヒューズボックスは、図１に示したヒューズユニット２と、図４に示す保護カバー２０１と、を備えている。
【００３０】
上記保護カバー２０１は、図１に示した保護カバー１のＡ部が、弾性部材１３で覆われた構成である。
【００３１】
上記弾性部材１３は、保護カバー２０１の外面２０１ａから棒状に立設した複数の突起７で構成されている。また、これら複数の突起７は、保護カバー２０１と一体成形されている。また、各突起７は、前記トラックの走行中に保護カバー２０１に跳ね石が衝突した場合に弾性変形することが可能な太さとされている。
【００３２】
このような保護カバー２０１を備えたヒューズボックスは、前述したヒューズボックス１０と同様に、跳ね石等が保護カバー２０１に当たった際、弾性部材１３即ち複数の突起７がクッションとなって衝撃を吸収することで、保護カバー２０１に破損が生じることを防止できる。
【００３３】
（第４の実施形態）
本発明の第４の実施形態にかかるヒューズボックスを図５を用いて説明する。本実施形態のヒューズボックスは、図１に示したヒューズユニット２と、図５に示す保護カバー３０１と、を備えている。
【００３４】
上記保護カバー３０１は、図１に示した保護カバー１のＡ部が、弾性部材１４で覆われた構成である。
【００３５】
上記弾性部材１４は、保護カバー３０１の外面３０１ａにブラシ状に植毛された複数の短繊維８で構成されている。これら複数の短繊維８は、接着剤が塗布された外面３０１ａに静電植毛加工により貼り付けられている。また、各短繊維８は、前記トラックの走行中に保護カバー３０１に跳ね石が衝突した場合に弾性変形することが可能な太さとされている。
【００３６】
このような保護カバー３０１を備えたヒューズボックスは、前述したヒューズボックス１０と同様に、跳ね石等が保護カバー３０１に当たった際、弾性部材１４即ち複数の短繊維８がクッションとなって衝撃を吸収することで、保護カバー３０１に破損が生じることを防止できる。
【００３７】
また、上述した保護カバー３０１は、短繊維８が保護カバー３０１の外面３０１ａに直接接着された構成であったが、本発明では、短繊維８が植毛されたシートを保護カバー３０１の外面３０１ａに貼り付けるようにしても良い。
【００３８】
（第５の実施形態）
本発明の第５の実施形態にかかるヒューズボックスを図６を用いて説明する。本実施形態のヒューズボックスは、図１に示したヒューズユニット２と、図６に示す保護カバー４０１と、を備えている。
【００３９】
上記保護カバー４０１は、図１に示した保護カバー１のＡ部が、弾性部材９で覆われた構成である。また、この弾性部材９は、ゴム製のシートであり、保護カバー４０１の外面４０１ａに貼り付けられている。
【００４０】
このような保護カバー４０１を備えたヒューズボックスは、前述したヒューズボックス１０と同様に、跳ね石等が保護カバー４０１に当たった際、弾性部材９がクッションとなって衝撃を吸収することで、保護カバー４０１に破損が生じることを防止できる。
【００４１】
また、第１〜５の実施形態で説明したヒューズボックスは、保護カバーの外面の一部即ちＡ部が弾性部材で覆われている構成であったが、本発明のヒューズボックスは、保護カバーの外面全面が弾性部材で覆われている構成であっても良い。
【００４２】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４３】
１，１０１，２０１，３０１，４０１  保護カバー
１ａ，１０１ａ，２０１ａ，３０１ａ，４０１ａ  外面
２  ヒューズユニット
９，１１，１２，１３，１４  弾性部材
１０  ヒューズボックス
３１  バッテリポスト
【図１】
2012022975.tif 000003
【図２】
2012022975.tif 000004
【図３】
2012022975.tif 000005
【図４】
2012022975.tif 000006
【図５】
2012022975.tif 000007
【図６】
2012022975.tif 000008
【図７】
2012022975.tif 000009